(57)【要約】【課題】紙面に印刷された文書を画像として扱い、その画像を微細な領域に分割し、その分割された画像領域ごとに複写禁止等のデータ管理を行う印刷画像処理システムを提供する。【解決手段】情報記憶印刷用紙２にはＩＣタグ１２が埋め込まれており、情報記憶印刷画像上の仮想分割画像１４の各々は、少なくとも１つのＩＣタグ１２を含む。また、ＩＣタグ１２は仮想分割画像１４の出力禁止情報を記憶している。出力禁止情報書き込み装置３は、画像の出力を禁止する領域を指定する。複写制限機能付き画像読み取り装置４は、情報記憶印刷用紙２に印刷された画像を撮像するとともに出力禁止情報を読み取り、制限画像データと出力禁止情報を出力する。画像管理情報書き込み印刷装置５は、制限画像データを印刷するとともに、出力禁止情報の設定変更、および書き込みを可能にする。【選択図】図１
2005244802.tif 000002
【特許請求の範囲】
【請求項１】
複数の非接触データ記憶手段が所定の間隔を隔てて印刷用紙に配置された記憶印刷用紙であって、
前記複数の非接触データ記憶手段の各々は、前記記憶印刷用紙に印刷されている画像を各々の分割画像が１つの非接触データ記憶手段を含むように分割した分割画像のうち自らを含む分割画像の管理情報である画像管理情報を記憶可能であり、
前記画像管理情報は、前記分割画像が前記記憶印刷用紙以外の画像出力媒体への出力が禁止されているものであるか許可されているものであるかを表す出力禁止情報を含むことを特徴とする記憶印刷用紙。
【請求項２】
前記記憶印刷用紙に記憶されている前記出力禁止情報を前記分割画像ごとに記憶させる出力禁止情報書き込み装置であって、
前記出力禁止情報として、画像出力媒体への出力を禁止する情報を記憶させるか、画像出力媒体への出力を許可する情報を記憶させるかの選択を行う選択手段と、
前記選択手段の選択に基づいて前記出力禁止情報を記憶させるための信号を発する信号発生手段とを含み、
前記記憶印刷用紙に配置された非接触データ記憶手段に近づけることで、前記出力禁止情報の当該非接触データ記憶手段への記憶を可能とすることを特徴とする禁止情報書き込み装置。
【請求項３】
前記記憶印刷用紙に印刷されている画像を撮影し、前記画像管理情報を反映した画像データを出力する画像読み取り装置であって、
前記記憶印刷用紙に印刷されている画像を撮影し、画像データに変換して出力する撮像手段と、
前記記憶印刷用紙に記憶されている画像管理情報を読み取り出力する画像管理情報読み取り手段と、
前記撮像手段が出力する画像データと前記画像管理情報読み取り手段が出力する前記画像管理情報に含まれる前記出力禁止情報に基づいて、前記画像データのうち出力が禁止されている分割画像に対応する部分のデータを非表示データに置き換えた制限画像データを生成する制限画像データ生成手段と、
前記制限画像データを出力する制限画像データ出力手段と、
前記画像管理情報読み取り手段が読み取った画像管理情報を出力する画像管理情報出力手段とを含むことを特徴とする画像読み取り装置。
【請求項４】
画像データを前記記憶印刷用紙に印刷する印刷装置であって、
前記画像管理情報の入力を受けて、前記分割画像ごとに前記画像管理情報に含まれる前記出力禁止情報を変更することを可能にする出力禁止情報変更手段と、
前記分割画像ごとに前記出力禁止情報を新たに設定することを可能にする出力禁止情報設定手段と、
前記画像管理情報を前記記憶印刷用紙に記憶させる画像管理情報書き込み手段とを含むことを特徴とする印刷装置。
【請求項５】
請求項１に記載の記憶印刷用紙であって、
前記画像管理情報は、前記出力禁止情報が有効であるか無効であるかを判定するための有効性情報を含むことを特徴とする記憶印刷用紙。
【請求項６】
請求項３に記載の画像読み取り装置であって、
前記画像管理情報は前記有効性情報を含み、
前記制限画像データ生成手段は、前記画像管理情報に含まれる前記有効性情報に基づいて、前記分割画像ごとに前記出力禁止情報が有効であるか無効であるかを判定する出力禁止情報有効性判定手段を含み、
出力禁止情報有効性判定手段によって有効であると判定された出力禁止情報に基づいて、前記画像データのうち出力が禁止されている分割画像に対応する部分のデータを非表示データに置き換えた制限画像データを生成する制限画像データを生成し、
前記出力禁止情報有効性判定手段は、前記有効性情報に基づく判定を、操作者があらかじめ作成した、有効性情報と出力禁止情報の有効性との対応関係が記憶された出力禁止情報有効性判定データベースに基づいて行うことを特徴とする画像読み取り装置。
【請求項７】
請求項４に記載の印刷装置であって、
前記画像管理情報は前記有効性情報を含み、
前記画像管理情報の入力を受けて、前記分割画像ごとに前記画像管理情報に含まれる前記有効性情報を変更することを可能にする有効性変更手段と、
前記分割画像ごとに前記有効性情報を新たに設定することを可能にする有効性設定手段とを含むことを特徴とする印刷装置。
【請求項８】
請求項５に記載の記憶印刷用紙を印刷媒体とし、
請求項６に記載の画像読み取り装置と、
請求項７に記載の印刷装置とを含む印刷画像処理システムであって、
前記有効性情報には、前記記憶印刷用紙に画像が印刷された日時の情報を含むことを特徴とする印刷画像処理システム。
【請求項９】
請求項５に記載の記憶印刷用紙を印刷媒体とし、
請求項６に記載の画像読み取り装置と、
請求項７に記載の印刷装置とを含む印刷画像処理システムであって、
前記有効性情報は、操作者を識別する情報を含むことを特徴とする印刷画像処理システム。
【請求項１０】
請求項５に記載の記憶印刷用紙を印刷媒体とし、
請求項６に記載の画像読み取り装置と、
請求項７に記載の印刷装置とを含む印刷画像処理システムであって、
前記有効性情報は、使用されるべき画像読み取り装置を識別する情報を含むことを特徴とする印刷画像処理システム。
【請求項１１】
請求項５に記載の記憶印刷用紙を印刷媒体とし、
請求項６に記載の画像読み取り装置と、
請求項７に記載の印刷装置とを含む印刷画像処理システムであって、
前記有効性情報は、前記画像管理情報が前記画像管理情報読み取り手段によって読み取られた回数を示す読み取り回数を含むことを特徴とする印刷画像処理システム。
【発明の詳細な説明】
【技術分野】
【０００１】
本発明は、電子情報を印刷装置によって紙上に可視化した後において、複写禁止等の操作制限を施すような印刷画像処理システムに関する。
【背景技術】
【０００２】
文書管理システム等、コンピュータをベースとするシステムに保存されている電子文書については、利用制限などのセキュリティを考慮した管理を実施することができる。ところが、電子文書はそれを印刷装置等により紙に印刷してしまうと、電子文書に対して適用していたようなセキュリティを考慮した管理ができなくなる。この課題を解決するため、既存の技術にはバーコードによるもの、ＩＣタグを利用したもの等がある。
【０００３】
バーコードによるものにおいては、電子文書の印刷時に紙面上に電子文書の識別子をバーコードとして印刷する。複写機にはバーコード読み取り装置を設け、複写時にこのバーコードを読み取る。バーコードの有する情報から原稿に対応するデータベース上の電子文書を特定し、その電子文書に設定されているアクセス制御情報を取得し、このアクセス制御情報に基づいて複写操作の実行の可否を決定する。
【０００４】
ＩＣタグを利用したものにおいては、あらかじめＩＣタグを用紙に埋め込んでおき、印刷すると共に電子文書の識別子情報をＩＣタグに書き込む。この紙文書を複写機によって複写しようとすると、複写機に取り付けられたＩＣタグ読み取り装置が、ＩＣタグに書き込まれている識別子情報を取得する。この識別子情報から対応するデータベース上の電子文書を特定し、その電子文書に設定されているアクセス制御情報を取得し、このアクセス制御情報に基づいて複写操作の実行の可否を決定する。なお、ＩＣタグを利用した技術については特開２００１−１６０１１７号公報（特許文献１）および特開２００２−１２０４７５号公報（特許文献２）に開示されている。
【０００５】
【特許文献１】特開２００１−１６０１１７
【特許文献２】特開２００２−１２０４７５
【発明の開示】
【発明が解決しようとする課題】
【０００６】
紙文書を管理する場合においては、紙面に印刷された文書のうち、特定の領域については複写操作の実行を禁止する一方で、その他の領域については、複写操作を実行しなければならないことが多い。例えば、紙文書に機密情報などが含まれているにもかかわらず、その他の文書は紙面上へ記載しなければならない場合や、文書の配布先に応じて文書の特定部分を紙面上に記載しないようにする場合などが考えられる。
【０００７】
しかしながら、上述のいずれの既存技術においても、管理単位はページになっており、複写禁止などの属性はページ単位においてしか設定することができない。従って、特定の部分については複写操作の実行を禁止する一方で、その他の部分については、複写操作の実行を許可しなければならないという文書管理には対応できない。
【０００８】
本発明はこのような課題に着目してなされたものであり、紙面に印刷された文書を画像として扱い、その画像を微細な領域に分割し、その分割された画像領域ごとにデータ管理を行う印刷画像処理システムを提供する。
【課題を解決するための手段】
【０００９】
本発明は、複数の非接触データ記憶手段が所定の間隔を隔てて印刷用紙に配置された記憶印刷用紙であって、前記複数の非接触データ記憶手段の各々は、前記記憶印刷用紙に印刷されている画像を各々の分割画像が１つの非接触データ記憶手段を含むように分割した分割画像のうち自らを含む分割画像の管理情報である画像管理情報を記憶可能であり、前記画像管理情報は、前記分割画像が前記記憶印刷用紙以外の画像出力媒体への出力が禁止されているものであるか許可されているものであるかを表す出力禁止情報を含むことを特徴とする。
【００１０】
また、本発明は、前記記憶印刷用紙に記憶されている前記出力禁止情報を前記分割画像ごとに記憶させる出力禁止情報書き込み装置であって、前記出力禁止情報として、画像出力媒体への出力を禁止する情報を記憶させるか、画像出力媒体への出力を許可する情報を記憶させるかの選択を行う選択手段と、前記選択手段の選択に基づいて前記出力禁止情報を記憶させるための信号を発する信号発生手段とを含み、前記記憶印刷用紙に配置された非接触データ記憶手段に近づけることで、前記出力禁止情報の当該非接触データ記憶手段への記憶を可能とすることを特徴とする。
【００１１】
また、本発明は、前記記憶印刷用紙に印刷されている画像を撮影し、前記画像管理情報を反映した画像データを出力する画像読み取り装置であって、前記記憶印刷用紙に印刷されている画像を撮影し、画像データに変換して出力する撮像手段と、前記記憶印刷用紙に記憶されている画像管理情報を読み取り出力する画像管理情報読み取り手段と、前記撮像手段が出力する画像データと前記画像管理情報読み取り手段が出力する前記画像管理情報に含まれる前記出力禁止情報に基づいて、前記画像データのうち出力が禁止されている分割画像に対応する部分のデータを非表示データに置き換えた制限画像データを生成する制限画像データ生成手段と、前記制限画像データを出力する制限画像データ出力手段と、前記画像管理情報読み取り手段が読み取った画像管理情報を出力する画像管理情報出力手段とを含むことを特徴とする。
【００１２】
また、本発明は、画像データを前記記憶印刷用紙に印刷する印刷装置であって、前記画像管理情報の入力を受けて、前記分割画像ごとに前記画像管理情報に含まれる前記出力禁止情報を変更することを可能にする出力禁止情報変更手段と、前記分割画像ごとに前記出力禁止情報を新たに設定することを可能にする出力禁止情報設定手段と、前記画像管理情報を前記記憶印刷用紙に記憶させる画像管理情報書き込み手段とを含むことを特徴とする。
【００１３】
また、本発明における記憶印刷用紙においては、前記画像管理情報は、前記出力禁止情報が有効であるか無効であるかを判定するための有効性情報を含むことを特徴とするものとすることができる。
【００１４】
また、本発明における画像読み取り装置においては、前記画像管理情報は前記有効性情報を含み、前記制限画像データ生成手段は、前記画像管理情報に含まれる前記有効性情報に基づいて、前記分割画像ごとに前記出力禁止情報が有効であるか無効であるかを判定する出力禁止情報有効性判定手段を含み、出力禁止情報有効性判定手段によって有効であると判定された出力禁止情報に基づいて、前記画像データのうち出力が禁止されている分割画像に対応する部分のデータを非表示データに置き換えた制限画像データを生成する制限画像データを生成し、 前記出力禁止情報有効性判定手段は、前記有効性情報に基づく判定を、操作者があらかじめ作成した、有効性情報と出力禁止情報の有効性との対応関係が記憶された出力禁止情報有効性判定データベースに基づいて行うことを特徴とするものとすることができる。
【００１５】
また、本発明における前記印刷装置においては、前記画像管理情報は前記有効性情報を含み、前記画像管理情報の入力を受けて、前記分割画像ごとに前記画像管理情報に含まれる前記有効性情報を変更することを可能にする有効性変更手段と、前記分割画像ごとに前記有効性情報を新たに設定することを可能にする有効性設定手段とを含むことを特徴とするものとすることができる。
【００１６】
また、前記有効性情報としては、記憶印刷用紙に画像が印刷された日時の情報、操作者を識別する情報、使用されるべき画像読み取り装置を識別する情報および前記画像管理情報が前記画像管理情報読み取り手段によって読み取られた回数を示す読み取り回数を含むことが好適である。
【発明の効果】
【００１７】
本発明によれば、紙文書に対して紙面の特定領域について複写機における複写などの操作を制限することができる。さらに制限する期間、操作者および複写回数などを指定し、制限の条件を柔軟に設定することができる。例えば、利用者に応じて、論文の全文の複写を許可したり、アブストラクトのみ許可したりといったことができる。
【００１８】
また、上述の出力禁止情報書き込み装置を用いることにより、文書を査読しつつ、複写操作の実行を禁止する領域を指定する作業を、コンピュータなどの電子情報機器のディスプレイ上で行う必要が無くなるため、一覧性に欠けるディスレイ上での作業を回避することができる。
【発明を実施するための最良の形態】
【００１９】
本発明の実施形態について、図面を参照して説明する。図１は本発明に係る印刷画像処理システム１を示す。本システムは、情報記憶印刷用紙２を印刷媒体とし、出力禁止情報書き込み装置３、複写制限機能付き画像読み取り装置４および画像管理情報書き込み印刷装置５から構成される。以下、システムを構成する各装置について説明する。
【００２０】
図２は本発明に係る情報記憶印刷用紙２を示す。情報記憶印刷用紙２は、ＩＣタグ１２が印刷用紙に埋め込まれたものである。印刷用紙上には文書が印刷されているが、ここでは印刷されている文書を画像として考え、仮想的に画像を網目状に分割し、網目の１つである仮想分割画像１４につき１つのＩＣタグ１２を埋め込むものとする。網目の細かさは文書の一文字あたり１つ以上のＩＣタグ１２が対応する程度とすることが好適である。
【００２１】
ＩＣタグ１２は、無線機と記憶装置を内蔵したＩＣチップであり、情報を管理するシステムと無線通信を行うものである。ＩＣタグ１２の電源は、情報を管理するシステムからの電磁波による誘導起電力を用いる。本実施形態で用いるＩＣタグ１２の各々に内蔵されている記憶装置には、ＩＣタグ１２自身の識別コードＮと共に、情報記憶印刷用紙２上における自身の位置を表す座標Ｘ、その画像情報を管理するのに必要な画像管理情報Ｉが記憶されている。情報の送受信においては、記憶装置から読み込まれるデータ系列あるいは記憶装置に書き込まれるデータ系列を表す信号が変調された電磁波が用いられる。
【００２２】
本実施形態においては、ＩＣタグ１２には画像管理情報Ｉの１つとして、仮想的に情報記憶印刷用紙２上の画像を分割した際の、各仮想分割画像１４に対する出力禁止情報Ｆを記憶させている。ここで、出力禁止情報とは、各仮想分割画像１４が複写機やスキャナなどによって他の出力媒体へ出力されることを禁止するか許可するかを示す情報であり、他の出力媒体への出力としては、他の印刷用紙への印刷や、コンピュータのディスプレイへの表示などが考えられる。この出力禁止情報を情報記憶印刷用紙２に埋め込まれたＩＣタグ１２に記憶させておけば、後に説明する複写制限機能付き画像読み取り装置４が、情報記憶印刷用紙２上の画像を読み込んだ場合に、特定の領域についての複写操作の実行を禁止させることができる。
【００２３】
出力禁止情報Ｆの具体的な表現としては、様々なものが考えられるが、例えばＩＣタグ１２が有する記憶装置内のある領域に、出力禁止情報を表す一桁の２進数として、当該２進数が「１」であれば印刷を禁止する、「０」であれば印刷を許可する、等とあらかじめ定義した上で決めておけばよい。
【００２４】
また、画像管理情報Ｉとしては、上記出力禁止情報Ｆの他に、仮想分割画像１４の各々についての属性情報Ｐを記憶させることができる。例えば、画像の複写回数、利用者を特定するためのＩＤ情報、複写などの操作を禁止あるいは許可する期間に関する情報、複写などを許可する複写機を特定する情報をも加えて記憶させることができる。後に説明する複写制限機能付き画像読み取り装置４は、属性情報Ｐに基づいて、他の出力媒体への出力を許可する回数、他の出力媒体への出力を許可する利用者、期間などを識別した上で、出力禁止情報Ｆに基づく画像出力を行うため、情報出力の禁止制限をより柔軟に設定することができる。
【００２５】
属性情報Ｐの表現についても、出力禁止情報Ｆの表現と同様、様々なものが考えられるが、ＩＣタグ１２が有する記憶装置内のある領域に、複数桁の２進数として記憶させること等が考えられる。
【００２６】
上述のように各ＩＣタグ１２に記憶されている情報は、ＩＣタグ１２自身の識別コードＮ、情報記憶印刷用紙２上における自身の位置を表す座標Ｘ、その画像情報を管理するのに必要な画像管理情報Ｉ、さらにＩに属するものとして仮想分割画像１４に対応する出力禁止情報Ｆ、仮想分割画像１４の属性情報Ｐがあり、以下、(Ｎ,Ｘ,Ｉ（Ｆ,Ｐ））のように表すこととする。
【００２７】
図３は、図２に示した情報記憶印刷用紙２に記憶されている前記出力禁止情報Ｆを仮想分割画像１４ごとに記憶させる出力禁止情報書き込み装置３の外形および構成を示す。装置の外形はペン状になっており、操作者は、先端に設けられたアンテナ２２を仮想分割画像１４に近づけることで出力禁止情報を書き込むことができる。
【００２８】
本装置は、図３（ｂ）に示すように、出力禁止情報として、画像出力媒体への出力を禁止する情報を記憶させるか、画像出力媒体への出力を許可する情報を記憶させるかの選択を行う選択回路１６と、選択回路１６の出力に基づいて出力禁止情報を記憶させるための信号を発する信号生成回路１８、無線回路２０、アンテナ２２を具備する構成となっている。
【００２９】
選択回路１６は、スイッチ回路によって実現できる。例えば、出力禁止情報として印刷を禁止する「１」はスイッチ回路出力を高電位としたもので表現し、印刷を許可する「０」はスイッチ回路出力を低電位としたもので表現することができる。
【００３０】
信号生成回路１８は、出力禁止情報信号を、ＩＣタグ１２が認識可能な信号に変換した信号を生成する。ここで、ＩＣタグ１２が認識可能な信号とは、ＩＣタグ１２の記憶装置内の出力禁止情報を記憶させておくべき領域のアドレス等に、出力禁止情報Ｆを伴わせたものであるが、ＩＣタグ１２自身の識別コードＮ、情報記憶印刷用紙２上における自身の位置を表す座標Ｘを伴わせる必要はない。識別コードＮ、座標Ｘは、操作者がアンテナ２２によって記憶印刷用紙上の特定領域を指示することで、すなわち特定領域に存在するＩＣタグ１２を実空間上で指定することで決定されるからである。
【００３１】
無線回路２０は、信号生成回路１８が生成した信号によって電磁波を変調し、アンテナ２２から電磁波を放射する。
【００３２】
操作者は、出力禁止情報書き込み装置３のアンテナ２２を情報記憶印刷用紙２に印刷されている画像のうち、他の用紙に印刷したときには非表示としたい領域に近づけ、選択回路１６によって出力禁止の設定をし、出力禁止情報を書き込むための電磁波を発生させることで、その領域に対応するＩＣタグ１２の有する出力禁止情報が書き換えられることとなる。また、同様の操作で他の用紙に印刷したときには非表示となっている領域を、もとの文書（画像）を印刷すべき領域に書き換えることも可能である。
【００３３】
なお、操作者の領域指定の際の視認性を高めるため、アンテナ２２の部分をマーカーなどの筆記具の先端を兼ねる構成としておき、選択回路１６の設定に応じてインクの色が変化するような構成としてもよい。
【００３４】
図４は情報記憶印刷用紙２に印刷されている画像と、それに埋め込まれているＩＣタグ１２が有する情報を読み込む複写制限機能付き画像読み取り装置４を示す図である。本装置は、印刷画像を光学的に読み取ると共に、情報記憶印刷用紙２に埋め込まれているＩＣタグ１２から画像管理情報Ｉを読み取り、画像管理情報Ｉを反映させた制限画像データを生成して出力するものである。制限画像データは、画像管理情報Ｉのうち出力禁止情報Ｆに基づいて、他の画像出力媒体への出力が禁止された領域を非表示としたものを表す画像データである。また、情報記憶印刷用紙２から読み取った各仮想分割画像１４の画像管理情報Ｉを出力するための手段を有する。以下、本装置が具備する各手段の動作について説明する。
【００３５】
撮像装置２６はＣＣＤカメラ、Ａ／Ｄ変換機などによって構成され、光学的に読み取った印刷画像を画像データとして出力するものである。ＣＣＤカメラが出力する信号は画像を水平方向に分割したアナログ信号であるが、これをＡ／Ｄへ変換機によってデジタル信号に変換する。デジタル信号の形式としては、画像を点の集合として処理するビットマップグラフィックス等の周知の形式を用いることができる。撮像装置２６は、画像データを画像管理情報付き分割画像データ生成手段２８に出力する。
【００３６】
画像管理情報読み取り手段２４は、情報記憶印刷用紙２に埋め込まれているＩＣタグ１２と無線通信を行い、各ＩＣタグ１２が記憶している仮想分割画像１４の画像管理情報Ｉを読み込む。１つのＩＣタグ１２からは対応する仮想分割画像１４の、(Ｎ,Ｘ,Ｉ（Ｆ,Ｐ））なる情報系列が得られる。この情報系列は、画像管理情報付き分割画像データ生成手段２８に出力される。
【００３７】
画像管理情報付き分割画像データ生成手段２８は、撮像装置２６が出力した画像データを、分割画像データに分割し、画像管理情報読み取り手段２４が出力したＩＣタグ１２各々から読み取られた情報系列を付帯させる。画像データの分割画像データへの分割は、ＩＣタグ１２の埋め込みにおいて仮想的に分割を行ったのと同一の分割を、撮像装置２６が撮像した実画像について行うものであり、分割画像データは、撮像装置２６が撮像した画像データを分割し、分割画像データとして表したものである。
【００３８】
各分割画像データには、それに対応する仮想分割画像１４の情報系列(Ｎ,Ｘ,Ｉ（Ｆ,Ｐ））が付帯することとなる。分割画像データをＤで表せば、仮想分割画像１４の情報系列を付帯させた分割画像データ、すなわち画像管理情報付き分割画像データは、（Ｄ,Ｎ,Ｘ,Ｉ（Ｆ,Ｐ））のように表される。具体的には、仮想分割画像１４の情報系列(Ｎ,Ｘ,Ｉ（Ｆ,Ｐ））の座標情報Ｘの位置に存在する仮想分割画像１４に対応する画像データを取り出し、当該画像データをＤとし、新たなデータ（Ｄ,Ｎ,Ｘ,Ｉ（Ｆ,Ｐ））を生成するという処理が実行される。このように生成された画像管理情報付き分割画像データは、制限画像データ合成手段３０に出力される。
【００３９】
制限画像データ制限手段は、画像管理情報付き分割画像データを合成し、画像管理情報Ｉを反映させた制限画像データを生成する。
【００４０】
合成に際しては、まず属性情報Ｐと出力禁止情報有効性判定データベース３２を参照し、出力禁止情報Ｆが有効なものであるか無効なものであるかが判定される。有効なものであると判定された場合、出力禁止情報Ｆが出力を許可する旨のものであれば分割画像データの合成を行い、出力を禁止する旨のものであれば合成を行わず、その分割画像データは空白など画像データを非表示とするデータに置き換えられる。無効なものであると判定された場合は、出力禁止情報Ｆの内容如何にかかわらず分割画像データの合成を行う。
【００４１】
ここで、出力禁止情報有効性判定データベース３２とは属性情報Ｐの内容と出力禁止情報Ｆの有効性との対応関係を記憶させたものであり、属性情報Ｐに対して出力禁止情報Ｆが有効なものであるのか無効なものであるのかの判断指標を与えるものである。このデータベースは操作者によってあらかじめ作成され、データベース識別番号Ｍ、属性情報Ｐ、有効性Ｅによって（Ｍ,Ｐ,Ｅ）のように配列変数として記憶されている。
【００４２】
属性情報Ｐとしては、（１）読み取り回数（２）操作者（３）出力を禁止する期間（４）使用可能な読み取り装置などを表す情報が考えられる。出力禁止情報有効性判定データベース３２が有するデータベースとしては例えば次のようなものが考えられる。（１）読み取り回数がある回数以上ならば出力禁止情報Ｆを有効とする。（２）情報記憶印刷用紙２に属性情報として記憶されている操作者と、出力禁止情報有効性判定データベース３２に記憶された読み取り装置にログインした者とが一致しない場合は出力禁止情報Ｆを有効とする。（３）読み取り装置の操作日時が、情報記憶印刷用紙２に属性情報として記憶されている出力を禁止する期間外であるときは出力禁止情報Ｆを有効とする。（４）情報記憶印刷用紙２に属性情報として記憶されている使用可能な特定の読み取り装置と、使用下にある読み取り装置とが一致しないときは出力禁止情報Ｆを有効とする。
【００４３】
なお、情報記憶印刷用紙２から読み取った各仮想分割画像１４の情報系列(Ｎ,Ｘ,Ｉ（Ｆ,Ｐ））の属性情報Ｆに、読み取り回数が含まれる場合、すなわち上記（１）の場合は、画像管理情報出力手段３６が画像管理情報を出力する際に、読み取り回数に１を加えた上で出力する必要がある。
【００４４】
次に具体的な動作について説明する。制限画像データ合成手段３０は、画像管理情報付き分割画像データ生成手段２８が出力した画像管理情報付き分割画像データ（Ｄ,Ｎ,Ｘ,Ｉ（Ｆ,Ｐ））のうち１つ、例えばＮ＝ｉに対応するものを取り出し、当該データの出力禁止情報Ｐを参照する。次に出力禁止情報有効性判定データベース３２（Ｍ,Ｐ,Ｅ）のうち当該属性情報Ｐに対応する識別番号Ｍの有効性Ｅを検索し、出力禁止情報Ｆが有効なものであるのか無効なものであるのかの判定を行う。
【００４５】
有効なものであると判定された場合は、次にＮ＝ｉに対する出力禁止情報Ｆを参照する。出力禁止情報Ｆが、出力を許可する旨のものであれば当該分割画像データＤをそのまま制限画像データの座標Ｘに対応する部分に加え、禁止する旨のものであれば、当該画像データを非表示データに置き換えた上で制限画像データの座標Ｘに対応する部分に加える。
【００４６】
無効なものであると判定された場合は、出力禁止情報Ｆを参照することなく、当該分割画像画像データＤをそのまま制限画像データの座標Ｘに対応する部分に加える。
【００４７】
同様の処理をＮ＝ｉ＋１、Ｎ＝ｉ＋２・・・のように逐次行っていき、すべてのＮについて当該処理を行ったところで制限画像データの生成が終了する。
【００４８】
制限画像データ合成手段３０が出力した制限画像データは複写制限機能付き画像読み取り装置４から出力される。
【００４９】
図５は、画像を印刷するとともに画像管理情報を情報記憶印刷用紙２に記憶させる、画像管理情報書き込み印刷装置５を示す図である。周知の印刷装置３８と画像管理情報書き込み手段４０とを備え、画像データが印刷されると共に上述の複写制限機能付き画像読み取り装置４から入力された、仮想分割画像１４の情報系列に含まれる画像管理情報Ｉを情報記憶印刷用紙２に記憶させる。また、本装置は画像管理情報設定変更手段４２を備え、操作者が仮想分割画像１４ごとに画像管理情報Ｉを設定することを可能にしている。
【００５０】
画像管理情報設定変更手段４２は、仮想分割画像１４の情報系列（Ｎ,Ｘ,Ｉ（Ｆ,Ｐ））のうち、画像管理情報Ｉ（Ｆ,Ｐ）を設定あるいは変更するものである。具体的には、画像管理情報Ｉが、操作者の入力によって上書き保存されるという処理が所望のＮについてなされる。
【００５１】
画像管理情報設定変更手段４２は、画像管理情報付き分割画像データ生成手段２８を備え、画像データと仮想分割画像１４の情報系列を入力することで画像管理情報付き分割画像データを生成し、仮想分割画像１４に対応する画像データの部分をディスプレイ４６に再生しつつ、操作者のキーボード４８への入力により設定変更処理を行う構成とすることもできる。また、必ずしも本装置に組み込まれている必要はなく、演算処理装置４４、記憶装置５０、入力手段およびディスプレイ４６などを備えた電子計算機を本装置に接続する構成とすることもできる。
【００５２】
本装置は、画像管理情報書き込み手段４０を備えており、外部から入力された画像管理情報Ｉをそのまま情報印刷用紙に記憶させたり、画像管理情報設定変更手段４２によって変更された画像管理情報Ｉ、または入力された画像データに対して新たに設定された画像管理情報Ｉを情報記憶印刷用紙２に記憶させたりすることが可能である。
【００５３】
なお、本発明の他の実施形態として、画像管理情報Ｉに対応する仮想分割画像１４の画像データそのものを画像管理情報Ｉに加えて記憶させたものが考えられる。画像形式としてはＰＮＧ、ＪＰＥＧ、ＧＩＦ等の周知の形式を用いればよい。この場合、複写制限機能付き画像読み取り装置４に撮像装置２６および画像管理情報付き分割画像データ生成手段２８を備える必要はなく、図６のような構成となる。すなわち、画像管理情報読み取り手段２４が出力するデータは、（Ｎ,Ｘ,Ｉ（Ｆ,Ｐ,Ｄ））という情報系列で表され、（Ｄ,Ｎ,Ｘ,Ｉ（Ｆ,Ｐ））という情報系列で表される画像管理情報付き分割画像データと同一情報を有しているため、改めて画像管理情報付き分割画像データを生成する必要がなく、システムの構成が単純化される。また、図６に示す複写制限機能付き画像読み取り装置４に読み取られるのは、実画像ではなく、ＩＣタグ１２に記憶されているデータであるので、複写に要する時間が短縮されるという効果が期待される。本構成においても、出力禁止情報書き込み装置３、画像管理情報書き込み印刷装置５における属性設定変更手段によって、特定画像領域の出力禁止に係る管理を行うことができることはいうまでもない。
【図面の簡単な説明】
【００５４】
【図１】印刷画像処理システムを示す図である。
【図２】情報記憶印刷用紙を示す図である。
【図３】出力禁止情報書き込み装置を示す図である。
【図４】複写制限機能付き画像読み取り装置を示す図である。
【図５】画像管理情報書き込み印刷装置を示す図である。
【図６】仮想分割画像データを画像管理情報Ｉに含ませた場合における複写制限機能付き画像読み取り装置を示す図である。
【符号の説明】
【００５５】
１  印刷画像処理システム、２  情報記憶印刷用紙、３  出力禁止情報書き込み装置、４  複写制限機能付き画像読み取り装置、５  画像管理情報書き込み印刷装置、１２  ＩＣタグ、１４  仮想分割画像、１６  選択回路、１８  信号生成回路、２０  無線回路、２２  アンテナ、２４  画像管理情報読み取り手段、２６  撮像装置、２８  画像管理情報付き分割画像データ生成手段、３０  制限画像データ合成手段、３２  出力禁止情報有効性判定データベース、３４  制限画像データ出力手段、３６  画像管理情報出力手段、３８  印刷装置、４０  画像管理情報書き込み手段、４２  画像管理情報設定変更手段、４４  演算処理装置、４６  ディスプレイ、４８  キーボード、５０  記憶装置。
【図１】
2005244802.tif 000003
【図２】
2005244802.tif 000004
【図３】
2005244802.tif 000005
【図４】
2005244802.tif 000006
【図５】
2005244802.tif 000007
【図６】
2005244802.tif 000008